(57)【要約】      （修正有）【課題】線条の切込み溝で分列された細帯からなる保持抑え部をリング本体に形成することによって、別部材となる保持具を必要とせず、様々な大きさとなる物品を保持可能とする保持リングを提供する。【解決手段】伸縮自在の弾性体素材で帯状且つ環状に形成されたリング本体１２を有し、前記リング本体の側面には、線条の切込み溝１４を備えて細帯状１６の保持抑え部が形成されている。【選択図】図１
0003136374.tif 000002
【実用新案登録請求の範囲】
【請求項１】
伸縮自在の弾性体素材で帯状且つ環状に形成されたリング本体を有し、前記リング本体の側面には、線条の切込み溝を備えて細帯状の保持抑え部が形成されていることを特徴とした保持リング。
【請求項２】
請求項１において、前記切込み溝の２本が平行に形成されていることにより、リング本体の中央に細帯状の保持抑え部が形成されていることを特徴とした保持リング。
【請求項３】
請求項１又は２において、前記弾性体素材は、シリコンゴムであることを特徴とした保持リング。
【請求項４】
請求項１乃至３のいずれか１項において、前記切込み溝は、リング本体の全周の長さの約１／２．５〜１／１０の長さに形成されていること特徴とした保持リング。
【請求項５】
請求項１乃至４のいずれか１項において、前記リング本体は、厚みを０．５ｍｍ〜３ｍｍ程度として、幅を１０ｍｍ乃至２０ｍｍ程度に形成されていることを特徴とした保持リング。
【考案の詳細な説明】
【技術分野】
【０００１】
本考案は、２つの物品を保持することができる保持リングに関するものである。
【背景技術】
【０００２】
従来の２つの物品を保持する保持リングは、例えば、伸縮バンドの側面に、別部材となるＵ字形に形成された受け具を固着し、伸縮バンドと該受け具で２つの物品を夫々保持するものである。（例えば、特許文献１参照）。この伸縮リングの特徴は、タバコの箱に伸縮バンドを取り付けた後、伸縮バンドに固着された受け具にライターとなる喫煙用点火器を保持するようにすることによって、タバコを吸う時にライターが見つからないといったことを無くすことができるものであった。
【特許文献１】実開平７−３４６９８号公報
【考案の開示】
【考案が解決しようとする課題】
【０００３】
従来の保持リングは、上述のようにリングの側面に別部材となる受け具を固着したものであり、この受け具を使用しない場合には、この受け具が邪魔になるという欠点があった。また、この受け具では、所定の大きさの物品しか保持できないものであり、汎用性に欠けるものである。
【０００４】
そこで、本考案は、上記の問題点に斯かる実情に鑑みなされたもので、線条の切込み溝で分列された細帯からなる保持抑え部をリング本体に形成することによって、別部材となる保持具を必要とせず、様々な大きさとなる物品を保持可能とする保持リングを提供することを課題とする。
【課題を解決するための手段】
【０００５】
本考案は、伸縮自在の弾性体素材で帯状且つ環状に形成されたリング本体を有し、前記リング本体の側面には、線条の切込み溝を備えて細帯状の保持抑え部が形成されていることを特徴とする。
【０００６】
また、前記切込み溝の２本が平行に形成されていることにより、リング本体の中央に細帯状の保持抑え部が形成されていることが好ましい。
【０００７】
そして、前記弾性体素材は、シリコンゴムであることが好ましい。
【０００８】
さらに、前記切込み溝は、リング本体の全周の長さの約１／２．５〜１／１０の長さに形成されていることが好ましい。
【０００９】
また、前記リング本体は、厚みを０．５ｍｍ〜３ｍｍ程度として、幅を１０ｍｍ乃至２０ｍｍ程度に形成されていることが好ましい。
【考案の効果】
【００１０】
本考案によれば、伸縮自在の弾性体素材で帯状且つ環状に形成されたリング本体を有し、リング本体の側面には、線条の切込み溝を備えて細帯状の保持抑え部が形成されていることにより、リング本体を１つ目の物品に嵌めるように取り付け、細帯状の保持抑え部を弾性変形させ、該細帯間に２つ目の物品を挿入して挟持させることによって、２つ目の物品を１つ目の物品に結合させて保持することができるものである。例えば、リング本体でシステム手帳が開かぬように保持すると共に、該保持抑え部の細帯に筆記具となるペン類を挟持させることによって保持できるものである。
【００１１】
また、保持抑え部は、リング本体の側面に２本の切込み溝を平行に形成して分列された３本からなる細帯とすることによって、中央の細帯を弾性変形させ、外側の２本の細帯と中央の細帯との間に物品を挟持させることによって、より強固に挟持させることが可能となるものである。そして、弾性体素材をシリコンゴムとすることによって、高度な耐熱性と耐寒性と耐老化性を有し、様々な地域で、長期間にわたって使用することが可能となる。
【００１２】
そして、前記切込み溝は、リング本体の全周の長さの約１／２．５〜１／１０の長さに形成することによって、比較的リング本体に保持される物品よりも、やや小さい物品を保持抑え部で保持できるようになるものである。リング本体は、厚みを０．５ｍｍ〜３ｍｍ程度として、幅を１０ｍｍ乃至２０ｍｍとすることによって、リング本体に物品を安定して保持できるものである。
【考案を実施するための最良の形態】
【００１３】
伸縮自在の弾性体素材で帯状且つ環状に形成されたリング本体を有し、前記リング本体の側面には、２本の切込み溝を平行に形成し分列された３本の細帯となる保持抑え部が形成されているものである。該弾性体素材は、シリコンゴムとすることが好ましい。
【００１４】
また、前記切込み溝は、リング本体の全周の長さの約１／２．５〜１／１０の長さに形成し、前記リング本体は、厚みを０．５ｍｍ〜３ｍｍ程度として、幅を１０ｍｍ乃至２０ｍｍ程度に形成するものである。
【実施例１】
【００１５】
以下、図面を参照して本考案に係る保持リングの一実施例を説明する。図１は、保持リングの正面側から見た斜視図であり、図２及び図３は、保持リングの使用例を示す図である。
【００１６】
本考案の保持リング１０のリング本体１２は、図１に示すように、伸縮自在のシリコンゴムとなる弾性体素材で薄肉帯状且つ環状に形成されている。またリング本体１２の側面には、リング本体１２の全周の長さの約１／５程度となる長さの線条で且つ貫通した切込み溝１４で分列された細帯１６となる保持抑え部を備えている。そして、実施例のリング本体１２は、厚みを約０．５ｍｍ〜３ｍｍとし、幅を約１０ｍｍ乃至２０ｍｍに形成され、比較的小さな物品に取り付けて使用されるものである。尚、リング本体１２の厚み及び幅は、これに限定されず様々な長さで形成しても構わないものである。
【００１７】
また、保持リング１０の保持抑え部は、実施例のように、リング本体１２の端辺と平行とする線条で且つ貫通した２つの切込み溝１４を形成し、分列された３つの細帯１６で形成されていることが好適であるものの、少なくとも２以上に分列された細帯１６を形成するようにすれば、いくつに分列されてあっても構わないものである。
【００１８】
そして、リング本体１２の側面に形成された切込み溝１４は、実施例に於いては、リング本体１２の全周の長さの約１／５としたが、リング本体１２を物品に取り付けした際に、その物品の正面に保持抑え部が収まるような長さとなるリング本体の全周の長さの約１／２．５〜１／１０の長さで切込み溝１４が形成されていることが好ましい。また、この長さに限定されず様々な長さに形成しても構わない。尚、この切込み溝１４の溝幅は、０ｍｍ〜１ｍｍとして間隙を設けない場合または僅かな間隙を形成することが好適であるものの、この溝幅の幅に限定されるものではない。
【００１９】
また、この保持リング１０を形成する弾性体素材として、実施例では、シリコンゴムを使用しているものの、矩形の筒状に形成された金属バネを環状に形成したり、ラバーゴムなどの樹脂素材で形成したりしても構わないものである。
【００２０】
そして、実施例の如く、保持リング１０を形成する弾性体素材としてシリコンゴムを使用することによって、高度な耐熱性と耐寒性と耐老化性を有し、様々な地域で、長期間にわたって使用することが可能となるものである。また弾性体素材と物品との摩擦力により、装着したリング本体１０や保持抑え部から物品がずれたり、動いたりしないようになり、安定した保持が可能となるものである。
【００２１】
尚、保持リング１０の色は、無色及び有色透明を含む様々な色で形成されてあっても構わないものである。例えば、無色透明に形成されている場合には、保持リング１０で保持する物品の全てが見えるように保持することが可能であり、保持リング１０の趣向を高めることが可能である。また、白色、黄色、桃色、赤色、紫色、青色、緑色、黒色などの有色不透明で形成することも可能である。
【００２２】
次に、この保持リング１０の使用例について説明する。この保持リング１０のリング本体１２を第一の物品の周囲に装着させることによって、第一の物品にリング本体１２を取り付けことができる。例えば、図２に示すように、この第一の物品が、例えばノートなどの冊子類で有る場合、保持リング１０を取り付けることにより、冊子が開くことを防止すると共に、各紙片がバラバラになり散失すること防止することができるものである。
【００２３】
次に、この保持リング１０に形成された保持抑え部の中央の細帯１６を外方に向けて弾性変形させ、外側の細帯１６との間に第二の物品を挿入することによって、該第二の物品は、保持抑え部の外側の細帯１６と中央の細帯１６により挟持され保持されるものである。このように、保持リング１０は、２つの物品となる第一の物品となるノートと、第二の物品となるペンとを結合させて保持することが可能となるものである。また、例えば、図２の如くリング本体１２でノートなどの冊子類を保持する場合には、保持リング１０の保持抑え部に、筆記具となるペンを保持するようにすると、ノートなどの冊子類に文章を書き込みする際は、直ぐに使用できることから、利便性が向上するものである。
【００２４】
そして、例えば、図３に示すように、リング本体１２をタバコが収納された箱に取り付けする場合には、保持リング１０の保持抑え部に、ライターとなる喫煙用点火器を保持するようにすることができるようになり、タバコの箱とライターとなる喫煙用点火器を結合して保持できることから、更に利便性は向上するものである。このようにリング本体１２でタバコが収納された箱を保持する場合のリング本体１２の内周の長さは、約１３２ｍｍで、リング本体１２の幅は１２ｍｍで形成していることが好ましい。これにより、リング本体１２の弾性力でタバコの箱が凹むことが無いようにすることが可能である。
【００２５】
また、保持抑え部の２本の切込み溝１４の長さは４５ｍｍで、幅は０．５ｍｍとし、図３に示したように小型のライターなどを容易に保持抑え部で抑えることができるようにしているものである。
【実施例２】
【００２６】
以下、図面を参照して本考案に係る第二の実施例となる保持リングを説明する。図４は、第二の実施例の保持リング１０の正面側から見た斜視図である。
【００２７】
第二の実施例となる保持リング１０のリング本体１２は、図４に示すように、伸縮自在のシリコンゴムとなる弾性体素材で薄肉帯状且つ環状に形成されている。またリング本体１２の側面には、リング本体１２の全周の長さの約１／１０程度となる長さの線条で且つ貫通した切込み溝１４で分列された細帯１６となる保持抑え部を、リング本体１２の側面且つ周方向に３つ備えている。実施例に於いて、保持抑え部を３つ備えたものであるが、これに限定されるものではない。
【００２８】
また、リング本体１２を物品に取り付けした際に、その物品の正面側に２つの保持抑え部を有するようにするには、保持抑え部の切込み溝１４の長さをリング本体１２の全周の長さの約１／６程度を最大とされるものである。そして、保持抑え部を３つ備えた場合には、切込み溝１４の長さは、リング本体１２の全周の長さの約１／７程度が最大の長さとされるものである。
【００２９】
そして、この切込み溝１４の長さを、それぞれ所定の長さに形成することも可能である。例えば、図示しないが、保持抑え部を３つ形成した場合、第一の保持抑え部の切込み溝１４の長さをリング本体１２の全周の長さの約１／８程度にし、第二の保持抑え部の切込み溝１４の長さをリング本体１２の全周の長さの約１／９程度にし、第三の保持抑え部の切込み溝の長さをリング本体１２の全周の長さの約１／１０程度にしても構わないものである。
【００３０】
次に、この第二の実施例となる保持リング１０の使用例について説明する。図４に示すように、複数の保持抑え部を保持リング１０の側面に形成することによって、複数の物品を複数の保持抑え部で保持できるものである。例えば、図示しないがリング本体１２でノートなどの冊子類を保持する場合には、保持リング１０の保持抑え部に、筆記具となるペン及び消しゴムを保持するようにすることができるようになり、更に利便性は向上するものである。
【００３１】
以上説明したように、線条の切込み溝で分列された細帯からなる保持抑え部をリング本体に形成することによって、別部材となる保持具を必要とせず、様々な大きさとなる物品を保持可能とする保持リングを提供することが可能である。このように、好ましい実施例を挙げて本考案を説明したが、本考案はその実施例に限定されるものではなく、本考案の要旨の範囲内で種々に改変できる。
【図面の簡単な説明】
【００３２】
【図１】本考案の一実施例である保持リングの斜視図である。
【図２】本考案の一実施例である保持リングの使用例を示す図である。
【図３】本考案の一実施例である保持リングの使用例を示す図である。
【図４】本考案の第二実施例である保持リングの斜視図である。
【符号の説明】
【００３３】
１０  保持リング
１２  リング本体
１４  溝
１６  細帯
【図１】
0003136374.tif 000003
【図２】
0003136374.tif 000004
【図３】
0003136374.tif 000005
【図４】
0003136374.tif 000006